【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
集約方法であって、
ユーザ装置（ＵＥ）がアップリンク制御情報（ＵＣＩ）を搬送するための集約されるタイムスロットの総数及び各タイムスロットの構造のうちの少なくとも１つの情報を取得することと、
前記ＵＥが集約されるタイムスロットの総数及び各タイムスロットの構造のうちの少なくとも１つの情報に基づいて複数のタイムスロットを集約することと、
前記ＵＥが集約されたタイムスロットを介して基地局（ｇＮＢ）へ物理アップリンク制御チャネル（ＰＵＣＣＨ）を送信することとを含む、前記集約方法。
【請求項２】
前記ＵＥが集約されるタイムスロットにおける１番目のタイムスロットを取得することをさらに含み、
ここで、前記ＵＥが集約されるタイムスロットの総数と各タイムスロットの構造のうちの少なくとも一つの情報に基づいて複数のタイムスロットを集約することは、前記ＵＥが集約されるタイムスロットの総数、各タイムスロットの構造と集約されるタイムスロットにおける１番目のタイムスロットのうちの少なくとも一つに基づいて複数のタイムスロットを集約することを含むことを特徴とする
請求項１に記載の集約方法。
【請求項３】
ＵＥがＵＣＩを搬送するための集約されるタイムスロットの総数と各タイムスロットの構造のうちの少なくとも一つの情報を取得することは、前記ＵＥが集約されるタイムスロットの総数を前記基地局（ｇＮＢ）から取得することを含むことを特徴とする
請求項１又は２に記載の集約方法。
【請求項４】
前記ＵＥがＵＣＩを搬送するための集約されるタイムスロットの総数と各タイムスロットの構造のうちの少なくとも一つの情報を取得することは、
前記ＵＥが集約される各タイムスロットの構造をｇＮＢから取得すること、又は
前記ＵＥが集約される各タイムスロットの構造をプロトコルに従って取得することを含むことを特徴とする
請求項１−３のいずれか一項に記載の集約方法。
【請求項５】
前記ＵＥが複数のタイムスロットを集約することは、
各タイムスロットにおける一つ又は複数の物理リソースブロック（ＰＲＢ）を集約することで複数のタイムスロットを集約し、前記一つ又は複数のＰＲＢが同じ方式で各タイムスロットに位置することを含み、または、各タイムスロットにおける一つ又は複数の物理リソースブロック（ＰＲＢ）を集約することで複数のタイムスロットを集約し、前記一つ又は複数のＰＲＢが異なる方式で各タイムスロットに位置することを含むことを特徴とする
請求項１−４のいずれか一項に記載の集約方法。
【請求項６】
前記ＰＵＣＣＨはロングフォーマットＰＵＣＣＨであることを特徴とする
請求項１−５のいずれか一項に記載の集約方法。
【請求項７】
前記ロングフォーマットＰＵＣＣＨはフォーマット１のＮＲ  ＰＵＣＣＨであることを特徴とする
請求項６に記載の集約方法。
【請求項８】
集約方法であって、
基地局（ｇＮＢ）がアップリンク制御情報（ＵＣＩ）を搬送するための集約されるタイムスロットの総数及び各タイムスロットの構造のうちの少なくとも１つの情報をユーザ装置（ＵＥ）に通知することと、
前記ｇＮＢが集約されるタイムスロットの総数及び各タイムスロットの構造のうちの少なくとも１つの情報に基づいて集約された複数のタイムスロットを介して前記ＵＥから物理アップリンク制御チャネル（ＰＵＣＣＨ）を受信することとを含む、前記集約方法。
【請求項９】
前記ｇＮＢが集約されるタイムスロットにおける１番目のタイムスロットの情報を通知することをさらに含み、
ここで、集約されるタイムスロットの総数、各タイムスロットの構造、及び集約されるタイムスロットの１番目のタイムスロットの情報のうちの少なくとも一つの情報に基づいて前記複数のタイムスロットを集約することを特徴とする
請求項８に記載の集約方法。
【請求項１０】
前記ｇＮＢが集約されるタイムスロットの総数及び各タイムスロットの構造のうちの少なくとも１つの情報に基づいて集約された複数のタイムスロットを介して前記ＵＥからＰＵＣＣＨを受信することは、
前記ｇＮＢが各タイムスロットにおける一つ又は複数の物理リソースブロック（ＰＲＢ）を集約することで集約されたタイムスロットを介して前記ＵＥからＰＵＣＣＨを受信し、前記一つ又は複数のＰＲＢが同じ方式で各タイムスロットに位置することを含み、または、前記ｇＮＢが各タイムスロットにおける一つ又は複数の物理リソースブロック（ＰＲＢ）を集約することで集約されたタイムスロットを介して前記ＵＥからＰＵＣＣＨを受信し、前記一つ又は複数のＰＲＢが異なる方式で各タイムスロットに位置することを含むことを特徴とする
請求項８又は９に記載の集約方法。
【請求項１１】
前記ＰＵＣＣＨはロングフォーマットＰＵＣＣＨであることを特徴とする
請求項８−１０のいずれか一項に記載の集約方法。
【請求項１２】
ユーザ装置（ＵＥ）であって、
アップリンク制御情報（ＵＣＩ）を搬送するための集約されるタイムスロットの総数及び各タイムスロットの構造のうちの少なくとも１つの情報を取得するように構成される取得モジュールと、
集約されるタイムスロットの総数及び各タイムスロットの構造のうちの少なくとも１つの情報に基づいて複数のタイムスロットを集約するように構成される集約モジュールと、
集約されたタイムスロットを介して基地局（ｇＮＢ）へ物理アップリンク制御チャネル（ＰＵＣＣＨ）を送信するように構成される送信モジュールとを備える、前記ＵＥ。
【請求項１３】
前記取得モジュールはさらに集約されるタイムスロットにおける１番目のタイムスロットを取得するように構成され、ここで、前記集約モジュールは集約されるタイムスロットの総数、各タイムスロットの構造と集約されるタイムスロットにおける１番目のタイムスロットの情報のうちの少なくとも一つの情報に基づいて複数のタイムスロットを集約するように構成されることを特徴とする
請求項１２に記載のＵＥ。
【請求項１４】
前記取得モジュールは、
集約されるタイムスロットの総数を前記基地局（ｇＮＢ）から取得するように構成されることを特徴とする
請求項１２又は１３に記載のＵＥ。
【請求項１５】
前記取得モジュールは、
集約される各タイムスロットの構造を取得し、又は
集約される各タイムスロットの構造をプロトコルに従って取得するように構成されることを特徴とする
請求項１２−１４のいずれか一項に記載のＵＥ。
【請求項１６】
前記集約モジュールは、各タイムスロットにおける一つ又は複数の物理リソースブロック（ＰＲＢ）を集約することで複数のタイムスロットを集約するように構成され、前記一つ又は複数のＰＲＢが同じ方式で各タイムスロットに位置し、又は
前記集約モジュールは、各タイムスロットにおける一つ又は複数の物理リソースブロック（ＰＲＢ）を集約することで複数のタイムスロットを集約するように構成され、前記一つ又は複数のＰＲＢが異なる方式で各タイムスロットに位置することを特徴とする
請求項１２−１５のいずれか一項に記載のＵＥ。
【請求項１７】
前記ＰＵＣＣＨはロングフォーマットＰＵＣＣＨであることを特徴とする
請求項１２−１６のいずれか一項に記載のＵＥ。
【請求項１８】
前記ロングフォーマットＰＵＣＣＨはフォーマット１のＮＲ  ＰＵＣＣＨであることを特徴とする
請求項１７に記載のＵＥ。
【請求項１９】
基地局（ｇＮＢ）であって、
アップリンク制御情報（ＵＣＩ）を搬送するための集約されるタイムスロットの総数及び各タイムスロットの構造のうちの少なくとも１つの情報をユーザ装置（ＵＥ）に通知するように構成されるシグナリングモジュールと、
集約されるタイムスロットの総数及び各タイムスロットの構造のうちの少なくとも１つの情報に基づいて集約された複数のタイムスロットを介して前記ＵＥから物理アップリンク制御チャネル（ＰＵＣＣＨ）を受信するように構成される取得モジュールとを備える、前記ｇＮＢ。
【請求項２０】
前記シグナリングモジュールはさらに集約されるタイムスロットにおける１番目のタイムスロットを通知するように構成され、ここで、前記取得モジュールは集約されるタイムスロットの総数、各タイムスロットの構造と集約されるタイムスロットにおける１番目のタイムスロットの情報のうちの少なくとも一つの情報に基づいて集約された複数のタイムスロットを介して前記ＵＥからＰＵＣＣＨを受信するように構成されることを特徴とする
請求項１９に記載のｇＮＢ。
【請求項２１】
前記取得モジュールは、各タイムスロットにおける一つ又は複数の物理リソースブロック（ＰＲＢ）を集約することで集約されたタイムスロットを介して前記ＵＥからＰＵＣＣＨを受信するように構成され、前記一つ又は複数のＰＲＢが同じ方式で各タイムスロットに位置し、又は、
前記取得モジュールは、各タイムスロットにおける一つ又は複数の物理リソースブロック（ＰＲＢ）を集約することで集約されたタイムスロットを介して前記ＵＥからＰＵＣＣＨを受信するように構成され、前記一つ又は複数のＰＲＢが異なる方式で各タイムスロットに位置することを特徴とする
請求項１９又は２０に記載のｇＮＢ。
【請求項２２】
前記ＰＵＣＣＨはロングフォーマットＰＵＣＣＨであることを特徴とする
請求項１９−２１のいずれか一項に記載のｇＮＢ。
【請求項２３】
ユーザ装置（ＵＥ）であって、
命令を記憶するメモリと、
トランシーバーと、
請求項１−７のいずれか一項に記載の集約方法を実行するために前記命令を実行して、前記トランシーバーと協力するように構成されるプロセッサと、を備える、前記ＵＥ。
【請求項２４】
基地局（ｇＮＢ）であって、
命令を記憶するメモリと、
トランシーバーと、
請求項８−１１のいずれか一項に記載の集約方法を実行するために前記命令を実行して、前記トランシーバーと協力するように構成されるプロセッサと、を備える、前記ｇＮＢ。